(57)【要約】【課題】効率よく配送作業を行うことができる作業端末を提供すること。【解決手段】作業端末１００は、通信部１１０と、認証部１２０と、制御部１３０とを備える。通信部１１０は、第一発信機３００ａまたは第二発信機３００ｂと通信することで、第一作業者ＩＤまたは第二作業者ＩＤを含むＩＤ情報を取得する。認証部１２０は、ＩＤ情報と、第一作業者ＩＤ及び第二作業者ＩＤを含むログイン許可情報２１０とに基づいて、作業端末１００へのログインの認証を行う。制御部１３０は、通信部１１０が、第一発信機３００ａまたは第二発信機３００ｂから連続的または断続的にＩＤ情報を取得することで、認証部１２０によりログインが認証されている場合、配送作業情報２００に関する処理のための操作を許可する。通信部１１０は、認証部１２０によりログインが認証されていない場合、配送作業情報２００に関する処理のための操作を許可しない。【選択図】図１
2020042522.tif 000002
【特許請求の範囲】
【請求項１】
一連の作業内容を示す配送作業情報が記憶されており、かつ、受け付けた操作に応じた、前記配送作業情報に関する処理が可能な作業端末であって、
第一端末または第二端末と通信することで、前記第一端末を識別する第一ＩＤまたは、前記第二端末を識別する第二ＩＤを含むＩＤ情報を取得する通信部と、
前記通信部が取得した前記ＩＤ情報と、前記第一ＩＤ及び前記第二ＩＤを含むログイン許可情報とに基づいて、当該作業端末へのログインの認証を行う認証部と、
（ａ）前記通信部が、前記第一端末または前記第二端末から連続的または断続的に前記ＩＤ情報を取得することで、前記認証部により前記ログインが認証されている場合、前記配送作業情報に関する処理のための操作を許可し、（ｂ）前記認証部により前記ログインが認証されていない場合、前記配送作業情報に関する処理のための操作を許可しない制御部と、
を備える作業端末。
【請求項２】
前記認証部は、前記通信部が前記第一端末及び前記第二端末の両方から連続的または断続的に前記ＩＤ情報を取得する場合、前記第一端末及び前記第二端末のうちの所定の条件を満たす一方のみのログインを認証する、
請求項１記載の作業端末。
【請求項３】
さらに、
前記配送作業情報に関する処理の内容または結果を示す処理情報を取得する取得部と、
前記取得部が取得した前記処理情報と、前記認証部によって前記ログインが認証された前記第一ＩＤまたは前記第二ＩＤとが紐づけられた履歴情報を記憶する履歴情報記憶部と、
を備える請求項１または２記載の作業端末。
【請求項４】
前記通信部はさらに、
前記認証部が前記ログインを認証している場合、前記作業端末の位置を示す位置情報と、前記ログインが認証された前記第一ＩＤまたは前記第二ＩＤとを当該作業端末を管理する管理システムに送信し、
前記認証部が前記ログインを認証していない場合、前記位置情報を前記管理システムに送信する、
請求項１〜３のいずれか一項に記載の作業端末。
【請求項５】
一連の配送作業を示す配送作業情報が記憶されており、かつ、受け付けた操作に応じた、前記配送作業情報に関する処理が可能な作業端末の制御方法であって、
第一端末または第二端末と通信することで、前記第一端末を識別する第一ＩＤまたは、前記第二端末を識別する第二ＩＤを含むＩＤ情報を取得する取得ステップと、
前記取得ステップにおいて取得された前記ＩＤ情報と、前記第一ＩＤ及び前記第二ＩＤを含むログイン許可情報とに基づいて、当該作業端末へのログインの認証を行う認証ステップと、
（ａ）前記認証ステップにおいて、前記第一端末または前記第二端末から連続的または断続的に前記ＩＤ情報を取得することで、前記ログインが認証されている場合、前記配送作業情報に関する処理のための操作を許可し、（ｂ）前記認証ステップにおいて前記ログインが認証されていない場合、前記配送作業情報に関する処理のための操作を許可しない操作可否決定ステップと、
を含む作業端末の制御方法。
【発明の詳細な説明】
【技術分野】
【０００１】
本発明は、荷物の配送作業を行う作業者が使用する作業端末に関する。
【背景技術】
【０００２】
特許文献１には、荷物の運搬を行うトラック等である配送車と、配送車の管理を行う配送センターとを備える運行管理システムが開示されている。この運行管理システムでは、配送車の運転手が有する携帯端末に、運行指示を表示自在な運行管理手段が備えられている。これにより、配送センターに配置された固定端末からデータ通信によって送信される運行指示を携帯端末に表示させることができる。従って、例えば、固定端末は運行指示の変更などを任意の時点で送信して、直ちに携帯端末に表示させることができる。
【先行技術文献】
【特許文献】
【０００３】
【特許文献１】特開２００７−３４５６６号公報
【発明の概要】
【発明が解決しようとする課題】
【０００４】
上記従来の運行管理システムのような、従来の配送システムでは、例えば、個々の荷物の配送先の名称及び住所等の情報を、配送作業を行う作業者の携帯端末にデータ通信で送ることができる。そのため、作業者は、トラックに対する荷物の積み込みまたは積み降ろし作業において、例えば、携帯端末に表示される情報を参照しながらこれら作業を行うことができる。しかしその一方で、携帯端末は、固定端末とは異なり、紛失または置き忘れ等が生じ得るため、例えば、第三者に携帯端末を不正に操作される可能性がある。この問題に対応するために、例えば指紋等を用いた生体認証システムを用いることで、当該運転手以外による携帯端末の操作を実質的に不可能にすることは可能である。しかしながら、この場合、当該作業者に割り当てられた配送作業を他の作業者が行う場合、煩雑な作業が必要となる。具体的には、当該配送作業を行う作業者を途中で交代する場合、交代後の作業者の携帯端末に、配送作業に用いる情報を新たにダウロードする必要があり、また、個々の荷物の配送が完了しているか否かの検証なども必要となる。
【０００５】
本発明は、本願発明者が上記課題に新たに着目することによってなされたものであり、配送作業を行う作業者が使用する作業端末であって、効率よく配送作業を行うことができる作業端末を提供することを目的とする。
【課題を解決するための手段】
【０００６】
上記目的を達成するために、本発明の一態様に係る作業端末は、一連の作業内容を示す配送作業情報が記憶されており、かつ、受け付けた操作に応じた、前記配送作業情報に関する処理が可能な作業端末であって、第一端末または第二端末と通信することで、前記第一端末を識別する第一ＩＤまたは、前記第二端末を識別する第二ＩＤを含むＩＤ情報を取得する通信部と、前記通信部が取得した前記ＩＤ情報と、前記第一ＩＤ及び前記第二ＩＤを含むログイン許可情報とに基づいて、当該作業端末へのログインの認証を行う認証部と、（ａ）前記通信部が、前記第一端末または前記第二端末から連続的または断続的に前記ＩＤ情報を取得することで、前記認証部により前記ログインが認証されている場合、前記配送作業情報に関する処理のための操作を許可し、（ｂ）前記認証部により前記ログインが認証されていない場合、前記配送作業情報に関する処理のための操作を許可しない制御部と、を備える。
【０００７】
この構成によれば、第一端末または第二端末を携帯する作業者は、例えば作業端末を手に取った場合、作業端末と第一端末または第二端末との通信がある程度継続して行われることで、自動的に作業端末の操作が可能な状態となる。また、作業者は、例えば作業端末から離れた場合、当該通信が途絶することで、自動的に作業端末の操作が不可能な状態となり、不正な操作は防止される。従って、例えば、正規の権限を有する複数の作業者のそれぞれに第一端末等の正規のＩＤを有する端末装置を携帯させておけば、複数の作業者の各々は、当該作業者を識別する情報を作業端末に入力することなく、作業端末に当該作業者を特定させることができる。つまり、作業端末は、操作する作業者を認識した状態で配送作業情報に関する処理を適切に行うことができる。そのため、例えば、複数の荷物を配送するための配送作業を、正規の権限を有する複数の作業者が交代しながら、効率よく実行することができる。
【０００８】
このように、本態様に係る作業端末は、配送作業を行う作業者が使用する作業端末であって、効率よく配送作業を行うことができる作業端末である。
【０００９】
また、本発明の一態様に係る作業端末において、前記認証部は、前記通信部が前記第一端末及び前記第二端末の両方から連続的または断続的に前記ＩＤ情報を取得する場合、前記第一端末及び前記第二端末のうちの所定の条件を満たす一方のみのログインを認証する、としてもよい。
【００１０】
この構成によれば、例えば、作業端末の周辺に、第一端末を有する作業者及び第二端末を有する作業者の両方が存在する場合であっても、所定の条件に基づいて、第一端末及び第二端末（第一ＩＤ及び第二ＩＤ）の一方のみが認証される。そのため、例えば、作業端末の操作を行う可能性がある複数の作業者が互いの近くに存在する場合であっても、実際に操作を行う作業者は、パスワード等を入力することなく、当該作業者を自動的に作業端末に特定させることができる。
【００１１】
また、本発明の一態様に係る作業端末はさらに、前記配送作業情報に関する処理の内容または結果を示す処理情報を取得する取得部と、前記取得部が取得した前記処理情報と、前記認証部によって前記ログインが認証された前記第一ＩＤまたは前記第二ＩＤとが紐づけられた履歴情報を記憶する履歴情報記憶部とを備える、としてもよい。
【００１２】
この構成によれば、作業端末は、例えば、配送作業を行っている期間における作業者の位置、または、各荷物の配送の完了時刻等を示す処理情報を、作業者を特定する第一ＩＤまたは第二ＩＤと紐づけて履歴情報として記憶することができる。つまり、どの作業を誰が行ったかを適切に記録することができる。
【００１３】
また、本発明の一態様に係る作業端末において、前記通信部はさらに、前記認証部が前記ログインを認証している場合、前記作業端末の位置を示す位置情報と、前記ログインが認証された前記第一ＩＤまたは前記第二ＩＤとを当該作業端末を管理する管理システムに送信し、前記認証部が前記ログインを認証していない場合、前記位置情報を前記管理システムに送信する、としてもよい。
【００１４】
この構成によれば、管理システムは、配送作業を行っている作業者と、作業者の位置とを認識することができるため、例えば、適切に配送作業がなされているかを把握することができる。また、管理システムが位置情報のみを受信した場合、正規の権限を有する作業者を伴わずに作業端末が放置されている、または、作業端末が移動していることを意味する。そのため、管理システムは、例えば作業端末の置き忘れまたは盗難等の発生を把握することができ、その時点の作業端末の位置も把握することができる。
【００１５】
また、本発明の一態様に係る作業端末の制御方法は、一連の配送作業を示す配送作業情報が記憶されており、かつ、受け付けた操作に応じた、前記配送作業情報に関する処理が可能な作業端末の制御方法であって、第一端末または第二端末と通信することで、前記第一端末を識別する第一ＩＤまたは、前記第二端末を識別する第二ＩＤを含むＩＤ情報を取得する取得ステップと、前記取得ステップにおいて取得された前記ＩＤ情報と、前記第一ＩＤ及び前記第二ＩＤを含むログイン許可情報とに基づいて、当該作業端末へのログインの認証を行う認証ステップと、（ａ）前記認証ステップにおいて、前記第一端末または前記第二端末から連続的または断続的に前記ＩＤ情報を取得することで、前記ログインが認証されている場合、前記配送作業情報に関する処理のための操作を許可し、（ｂ）前記認証ステップにおいて前記ログインが認証されていない場合、前記配送作業情報に関する処理のための操作を許可しない操作可否決定ステップと、を含む。
【００１６】
この制御方法によれば、上記のいずれかの態様に係る作業端末と同じく、正規の権限を有する作業者に対する、作業端末の操作可能化及び不可能化を自動的に行うことができる。従って、複数の作業者の各々は、当該作業者を識別する情報を作業端末に入力することなく、作業端末に当該作業者を特定させることができる。つまり、作業端末は、操作する作業者を認識した状態で配送作業情報に関する処理を適切に行うことができる。そのため、例えば、複数の荷物を配送するための配送作業を、正規の権限を有する複数の作業者が交代しながら、効率よく実行することができる。
【００１７】
なお、本発明は、上記の作業端末の制御方法に含まれる１以上のステップをコンピュータに実行させるプログラムとして実現すること、および、そのプログラムを記録したコンピュータ読み取り可能なＣＤ−ＲＯＭなどの記録媒体として実現することもできる。また、当該プログラムは、インターネット等の通信ネットワークを介して配信されてもよい。
【発明の効果】
【００１８】
本発明によれば、配送作業を行う作業者が使用する作業端末であって、効率よく配送作業を行うことができる作業端末を提供することができる。
【図面の簡単な説明】
【００１９】
【図１】図１は、実施の形態に係る配送システムの構成概要を示す図である。
【図２】図２は、実施の形態に係る作業端末の機能構成を示すブロック図である。
【図３】図３は、実施の形態に係るログイン許可情報のデータ構成の一例を示す図である。
【図４】図４は、実施の形態に係る配送作業情報のデータ構成の一例を示す図である。
【図５】図５は、実施の形態に係る作業端末におけるログイン認証に関する処理の流れを示すフロー図である。
【図６】図６は、実施の形態に係るメニュー画面の一例である。
【図７】図７は、実施の形態に係る積込情報画面の一例を示す図である。
【図８】図８は、実施の形態に係る配送先情報画面の一例を示す図である。
【図９】図９は、実施の形態に係る配送ナビ画面の一例を示す図である。
【図１０】図１０は、実施の形態に係る荷降情報画面の一例を示す図である。
【図１１】図１１は、実施の形態に係る１つの荷物の配送完了後における配送先情報画面の一例を示す図である。
【図１２】図１２は、実施の形態に係る履歴情報のデータ構成の一例を示す図である。
【図１３Ａ】図１３Ａは、作業者の交代前における実施の形態に係る作業端末の状態を示す図である。
【図１３Ｂ】図１３Ｂは、作業者の交代後における実施の形態に係る作業端末の状態を示す図である。
【図１４】図１４は、作業者の交代後における実施の形態に係る配送先情報画面の一例を示す図である。
【図１５】図１５は、作業者の交代後における実施の形態に係る履歴情報のデータ構成例を示す図である。
【発明を実施するための形態】
【００２０】
以下に、本発明の実施形態における配送システムについて、図面を参照しながら説明する。なお、各図は、模式図であり、必ずしも厳密に図示したものではない。
【００２１】
また、以下で説明する実施の形態は、包括的または具体的な例を示すものである。以下の実施の形態で示される数値、形状、構成要素、構成要素の配置位置および接続形態、並びに、作業または情報処理の順序などは、一例であり、本発明を限定する主旨ではない。また、以下の実施の形態における構成要素のうち、最上位概念を示す独立請求項に記載されていない構成要素については、任意の構成要素として説明される。
【００２２】
［１．配送システムの構成概要］
まず、図１を用いて、本発明の実施の形態に係る配送システム１０の構成概要を説明する。図１は、実施の形態に係る配送システム１０の構成概要を示す図である。図１に示すように、本実施の形態に係る配送システム１０は、作業者２０が使用する作業端末１００と、配送作業を管理する管理システム４００とを備える。
【００２３】
管理システム４００は、配送すべき複数の荷物それぞれの収納されている位置及び配送先の住所等を示す配送作業情報が格納された記憶装置、及び、配送作業情報を読み出して処理するコンピュータ等の操作端末を有する。操作端末は作業端末１００と通信することができる。これにより、管理システム４００は、作業端末１００との間で各種の情報をやり取りする。
【００２４】
管理システム４００は、具体的には、例えば、倉庫管理システム（ＷＭＳ：配送情報及び貨物情報などを取り扱うシステム）、運行管理システム（配送車に取り付けられた専用機器または作業端末からの位置情報を公衆回線を通じて取得し、地図情報と合わせて、位置を把握するシステム）、バース管理システム（対象となる配送センター、または、遠隔地から、インターネットを介して対象となる配送センターのバースの利用の予約、並びに、予約の変更及び取消するシステム）など、複数のシステムで構成されてもよい。
【００２５】
作業者２０は、作業者２０に紐づけられた識別情報である作業者ＩＤ（図１における「ＯＰ＿ＩＤ」）を発信する発信機３００を携帯している。発信機３００と作業端末１００とが通信することで、作業者２０は、作業者ＩＤを取得した作業端末１００を操作することができる。なお、発信機３００は、複数の作業者２０のそれぞれが携帯しており、複数の発信機３００それぞれは、ユニークな作業者ＩＤを記憶している。つまり、作業者ＩＤは、発信機３００を識別する情報であり、発信機３００を携帯する作業者を識別する情報として用いることもできる。複数の発信機３００のうちの２つの発信機３００は、第一端末及び第二端末の一例である。作業端末１００の自動的な操作可能化及び不可能化については図５を用いて後述する。
【００２６】
例えば、作業者２０は、作業端末１００を手に取り、所定の操作を行うことで、作業端末１００は、管理システム４００から配送作業情報を受信して記憶する。作業者２０は、作業端末１００に表示された情報に従い、トラック５０を用いて複数の荷物の配送を行う。また、作業端末１００は、ＧＰＳ（Ｇｌｏｂａｌ  Ｐｏｓｉｔｉｏｎｉｎｇ  Ｓｙｓｔｅｍ）を利用して作業端末１００の位置を示す位置情報を取得し、位置情報と作業者ＩＤとを管理システム４００に送信する機能を有する。作業端末１００は、例えば、所定の期間ごとに位置情報と作業者ＩＤとを管理システム４００に送信する。また、作業端末１００は、これら位置情報と作業者ＩＤとを、例えば日時と紐づけて記憶する。
【００２７】
作業端末１００が配送作業情報を受信した後に、作業者２０は、作業端末１００に表示される情報に従って、トラック５０を用いて複数の荷物の配送を行う。例えば、作業者２０は、作業端末１００の表示に従って、倉庫８０に向かい、倉庫８０で、荷物ａ、ｂ、ｃをトラック５０に積み込む。
【００２８】
その後、作業者２０は、作業端末１００の表示に従って、配送先Ａで荷物ａを降ろし、配送先Ｂで荷物ｂを降ろし、配送先Ｃで、荷物ｃを降ろす。つまり、荷物ａ、ｂ、ｃのそれぞれを、作業端末１００に示される配送先に配送する。この配送順及び配送経路は、作業端末１００に表示されるため、作業者２０は、効率よく配送作業を進めていくことができる。また、作業者２０は、配送先への荷物の配送の完了ごとに作業端末１００に所定の操作を行い、作業端末１００は、配送が完了したこと、及び、当該所定の操作が行われた位置を、作業者ＩＤと紐づけて記憶する。つまり、作業端末１００は、一連の作業内容（移動の軌跡も含む）を履歴情報として記憶する。作業端末１００は、記憶している履歴情報を、任意のタイミングで、または、管理システム４００からの要求に応じて管理システム４００に送信する。つまり、管理システム４００は、作業端末１００に指示した配送作業の進捗状況等を把握することができる。
【００２９】
［１−１．作業端末の構成概要］
次に、上記の配送作業に用いられる作業端末１００の構成概要について、図２〜図４を用いて説明する。図２は、実施の形態に係る作業端末１００の機能構成を示すブロック図である。図３は、実施の形態に係るログイン許可情報２１０のデータ構成の一例を示す図である。図４は、実施の形態に係る配送作業情報２００のデータ構成の一例を示す図である。
【００３０】
作業端末１００は、一連の作業内容を示す配送作業情報２００が記憶されており、かつ、受け付けた操作に応じた、配送作業情報２００に関する処理が可能な端末である。作業端末１００は、主な構成要素として、通信部１１０と、認証部１２０と、制御部１３０とを備える。また、本実施の形態では、作業端末１００は、各種の情報（配送作業情報２００、ログイン許可情報２１０、及び履歴情報２２０など）を記憶する記憶部１５０を有している。記憶部１５０は、例えば、ハードディスクなどの磁気ディスクを用いた記憶装置、または、ＳＳＤ（Ｓｏｌｉｄ  Ｓｔａｔｅ  Ｄｒｉｖｅ）もしくはフラッシュメモリなどの半導体メモリを用いた記憶装置によって実現される。なお、配送作業情報２００に関する処理として、積み込み完了、配送情報の確認、配送先順序の確認、配送先へのルートナビ、配送完了の入力等の各種の処理が例示される。
【００３１】
通信部１１０は、発信機３００と通信することで、発信機３００を識別する作業者ＩＤを含むＩＤ情報を取得する。認証部１２０は、通信部１１０が取得したＩＤ情報と、作業者ＩＤを含むログイン許可情報２１０とに基づいて、作業端末１００へのログインの認証を行う。ログイン許可情報２１０は、図３に示すように、作業端末１００へのログインの認証が許可される複数の作業者ＩＤと、作業者ＩＤごとの氏名及び所属先等の情報を含んでいる。なお、ログイン許可情報２１０は、少なくとも、作業端末１００へのログインの認証が許可される１以上の作業者ＩＤを含んでいればよい。
【００３２】
制御部１３０は、通信部１１０が発信機３００から連続的または断続的にＩＤ情報を取得することで、認証部１２０によりログインが認証されている場合、配送作業情報２００に関する処理のための操作を許可する。制御部１３０は、認証部１２０によりログインが認証されていない場合、配送作業情報２００に関する処理のための操作を許可しない。例えば、発信機３００から送信される“Ｐ０１３２”を含むＩＤ情報が所定の期間継続して通信部１１０が受信した場合、認証部１２０によって“Ｐ０１３２”によるログインが認証される。その結果、制御部１３０は、作業端末１００に対する、配送作業情報２００に関する処理のための操作を許可する。
【００３３】
具体的には、作業端末１００は、ユーザインタフェースとして表示部１６０を備えている。表示部１６０は、各種の情報を表示する機能と、作業者２０の操作を受け付ける機能とを有するタッチパネルである。より詳細には、表示部１６０は、例えば液晶パネルまたは有機ＥＬ（Ｅｌｅｃｔｒｏ  Ｌｕｍｉｎｅｓｃｅｎｃｅ）パネルなどの表示装置と、接触位置を検出する位置検出装置とが重ね合わされた装置である。
【００３４】
制御部１３０は、記憶部１５０から読み出した配送作業情報２００を用いて表示部１６０に各種の情報を表示させる。具体的には、図４に示すように、配送作業情報２００には、配送すべき複数の荷物の管理番号、及び、管理番号ごとの品名、配送先名、及び住所等の情報が含まれる。制御部１３０は、配送作業情報２００から必要な情報を読み出して表示部１６０に表示させる。また、表示部１６０に対する操作に応じて、制御部１３０として機能するＣＰＵ（Ｃｅｎｔｒａｌ  Ｐｒｏｃｅｓｓｉｎｇ  Ｕｎｉｔ）によって各種の処理を実行させる。
【００３５】
また、作業端末１００は、配送作業情報２００に関する処理の内容または結果を示す処理情報を取得する取得部１４０を備えている。取得部１４０は、例えば、配送作業を行っている期間における作業者２０の位置、または、各荷物の配送の完了時刻等を示す処理情報を取得する。なお、作業端末１００は、例えばＧＰＳ受信機（図示せず）を有しており、ＧＰＳを構成する複数の人工衛星から電波信号を受信することで、作業端末１００の現在位置を特定することができる。取得部１４０は、ＧＰＳ受信機から、現在位置を示す位置情報を処理情報として取得する。
【００３６】
本実施の形態に係る作業端末１００は、例えば、ＣＰＵ、メモリ等の記憶装置、および情報の入出力のためのインタフェース等を備えたコンピュータによって実現される。作業端末１００では、例えば、記憶部１５０に格納された所定のプログラムをＣＰＵが実行することにより、上述の、認証部１２０、制御部１３０、及び取得部１４０による処理が実現される。また、作業端末１００は、例えば携帯電話の通信に用いられる通信規格に適合した通信モジュールを通信部１１０として有しており、携帯電話の通信網を利用して管理システム４００と通信することができる。このような作業端末１００は、例えば、専用のコンピュータ機器または汎用の携帯端末（スマートフォンまたはタブレットなど）によって実現される。
【００３７】
［１−２．作業端末のログイン認証に関する動作］
次に、本実施の形態に係る作業端末１００の動作（処理）について、図５〜図１５を参照しながら説明する。まず、作業端末１００におけるログイン認証に関する処理について、図５を用いて説明する。図５は、実施の形態に係る作業端末１００におけるログイン認証に関する処理の流れを示すフロー図である。
【００３８】
図５に示すように、作業端末１００による処理は、ＩＤ情報を取得する取得ステップ（Ｓ１０）と、ログインの認証を行う認証ステップ（Ｓ２０）と、配送作業情報２００に関する処理のための操作の可否を決定する操作可否決定ステップ（Ｓ３０）とを含む。これらの各ステップの詳細を以下に説明する。
【００３９】
作業端末１００において、通信部１１０が、発信機３００と通信することで、発信機３００が有する作業者ＩＤ（例えば“Ｐ０１３２”）を取得した場合（Ｓ１０でＹｅｓ）、認証部１２０は、その作業者ＩＤと、ログイン許可情報２１０とに基づいて、作業端末１００へのログインの認証を行う。具体的には、作業者ＩＤ“Ｐ０１３２”は、ログイン許可情報２１０（図３参照）に含まれているため、作業者ＩＤ“Ｐ０１３２”は有効であると判断する（Ｓ２１でＹｅｓ）。なお、通信部１１０が取得した作業者ＩＤが、ログイン許可情報２１０に含まれない場合（Ｓ２１でＮｏ）、ログインは認証されず、制御部１３０によって操作不可（Ｓ３２）と決定される。
【００４０】
次に認証部１２０は、作業者ＩＤ“Ｐ０１３２”を含む作業情報を、連続的にまたは断続的に通信部１１０が受信するかを確認する。例えば、通信部１１０が作業者ＩＤ“Ｐ０１３２”を含む作業情報を、１秒に１回以上かつ５秒以上継続して受信した場合（Ｓ２２でＹｅｓ）、作業者ＩＤ“Ｐ０１３２”によるログインを認証する。この場合、制御部１３０は、作業端末１００に対する、配送作業情報２００に関する処理のための操作を許可する（Ｓ３１）。具体的な操作例については、図６以降の図を用いて後述する。
【００４１】
ここで、発信機３００は、例えば到達範囲が半径１ｍ程度の電波により、作業者ＩＤ“Ｐ０１３２”を含む作業情報を一定間隔（例えば１秒間隔）で送信する。そのため、例えば、発信機３００を携帯する作業者２０が作業端末１００に近づいて、作業端末１００を手に持った場合、作業端末１００にから１ｍ内に入ってから５秒経過した時点で、自動的に作業者ＩＤ“Ｐ０１３２”による作業端末１００へのログインが認証される。
【００４２】
また、これにより作業端末１００の操作を許可され（Ｓ３１）、その後、通信部１１０が作業者ＩＤ“Ｐ０１３２”を含む作業情報を受信しなくなった（受信を停止した）場合（Ｓ３４でＹｅｓ）、認証部１２０は、停止期間を計測する。認証部１２０は停止期間がＴ（例えば５秒）を超えた場合、認証部１２０は、作業者ＩＤ“Ｐ０１３２”によるログインを非認証とする。これにより、制御部１３０は、作業端末１００に対する、配送作業情報２００に関する処理のための操作を不許可とする（Ｓ３２）。
【００４３】
例えば、作業者２０が、作業端末１００をトラック５０内に置いて、トラック５０の外で何等かの作業を行う場合、発信機３００から送信されるＩＤ情報の作業端末１００への定期的な到達状態が途切れる。その結果、作業者ＩＤ“Ｐ０１３２”は作業端末１００からログアウトした状態となり、作業端末１００に対する、配送作業情報２００に関する処理のための操作（以下、「実体的な操作」ともいう。）は不可となる。従って、仮に、第三者が作業端末１００を操作しようとした場合であっても、少なくとも、配送作業に関する操作は不可能であるため、作業端末１００に記憶された各種の情報の不正な流出は防止される。
【００４４】
また、通信部１１０によるＩＤ情報の受信の停止期間がＴを超えない場合、つまり、通信部１１０によるＩＤ情報の受信の停止から、Ｔ以内にＩＤ情報を受信した場合、そのＩＤ情報に含まれる作業者ＩＤ“Ｐ０１３２”によるログイン状態は維持される。そのため、作業者ＩＤ“Ｐ０１３２”と紐づけられた作業者２０による作業端末１００の操作は可能な状態に維持される。
【００４５】
［１−３．作業端末の表示画面例］
次に、上記のように動作する作業端末１００の操作に用いられる各種の画面の例を図６〜図１１を用いて説明する。図６〜図１１のそれぞれは、実施の形態に係る作業端末１００に表示される各種の画面例を示している。具体的には、図６は、実施の形態に係るメニュー画面の一例である。図７は、実施の形態に係る積込情報画面の一例を示す図である。図８は、実施の形態に係る配送先情報画面の一例を示す図である。図９は、実施の形態に係る配送ナビ画面の一例を示す図である。図１０は、実施の形態に係る荷降情報画面の一例を示す図である。図１１は、実施の形態に係る１つの荷物の配送完了後における配送先情報画面の一例を示す図である。なお、以下で説明する各種画面の表示及び切り替えは、制御部１３０が表示部１６０を制御することで行われる。
【００４６】
作業端末１００において、配送作業情報２００に関する処理のための操作の許可が決定された場合（図５のＳ３１）、表示部１６０には、例えば図６に示すメニュー画面が表示される。メニュー画面には、ログイン中の作業者を示す作業者ＩＤフィールド１７０のほか、積込情報ボタン１７１ａ、配送先情報ボタン１７１ｂ、配送ナビボタン１７１ｃ及び荷降情報ボタン１７１ｄが表示される。これらボタンが作業者２０にタッチされた場合、メニュー画面から当該ボタンに対応する画面に移行する。
【００４７】
配送作業を開始する作業者２０は、例えば、まず積み込み積込情報ボタン１７１ａをタッチし、これより、表示部１６０には、例えば図７に示す積込情報画面が表示される。積込情報画面には、作業端末１００を用いて配送すべき複数の荷物に関する情報、及び、これらの荷物を積み込む倉庫の名称等が表示される。図７に示す例では、“ＡＡ倉庫”のバース“８Ａ”にて、荷物リスト１７２に示される複数の荷物を積み込むことが示されている。また、バース“８Ａ”の使用開始時刻として９時半が予約されていることが示されている。なお、本例では、“ＡＡ倉庫”のバース“８Ａ”の使用開始時刻が既に予約されているが、例えば、作業者２０が、積込情報画面を操作することで、作業端末１００が管理システム４００と通信し、これにより積み込みに使用するバース及び使用開始時刻等が予約されてもよい。
【００４８】
荷物リスト１７２には、個々の荷物に付与された管理番号及び品名が表示され、さらに、個々の荷物の積み込みが完了しているか否かが示されている。
【００４９】
積込情報画面を見た作業者２０は、トラック５０にてＡＡ倉庫に向かい、８Ａのバースにて荷物リスト１７２に示される複数の荷物をトラック５０に積み込む。また、この積み込みの際、作業端末１００が備える、または、作業端末１００に接続されたバーコードリーダーで、複数の荷物のそれぞれに貼付されたバーコードを読み取る。これにより、荷物リスト１７２において、各荷物の“積込”の欄は“未”から“済”に変更される。
【００５０】
その後、作業者２０は、例えばメニュー画面にて配送先情報ボタン１７１ｂをタッチすることで、表示部１６０には、例えば図８に示す配送先情報画面が表示される。配送先情報画面には、配送順、配送先の名称及び配送状況を示す配送先リスト１７３が表示される。なお、例えば、配送先リスト１７３に示される各行をタッチすると、当該行に対応する配送先に配送すべき１以上の荷物の情報が表示されてもよい。
【００５１】
また、作業者は、例えばメニュー画面にて配送ナビボタン１７１ｃをタッチすることで、表示部１６０には、例えば図９に示す配送ナビ画面が表示される。配送ナビ画面には、記憶部１５０に記憶されている配送先を含む地図に配送経路を重ねた配送先マップ１７４、及び、配送先の名称のリストが表示される。作業者２０は、配送先マップ１７４を参照することで、複数の、荷物の配送を行うべき配送先に、どの順で、どの経路で行くべきかを同時に認識することができる。また、配送先マップ１７４は、トラック５０が移動することによる作業端末１００の移動に伴って更新され、作業者２０は、適切な経路で各配送先に向かっているかを確認することができる。なお、各配送先への到達予想時刻などの情報が、配送ナビ画面に表示されてもよく、または、音声出力されてもよい。
【００５２】
その後、作業者２０は、例えば、配送順“１”であるＡＡＡ産業に到着した場合、配送ナビ画面において、配送先の名称のリストのＡＡＡ産業をタッチすると、表示部１６０には、例えば図１０に示す荷降情報画面が表示される。荷降情報画面では、荷物の配送を行うべき配送先の名称、現在位置を示す位置情報、及び、荷降ろしすべき荷物を特定する情報を含む配送詳細情報１７５が表示される。本例では、ＡＡＡ産業において、管理番号“１１１−２２２−９９９”の荷物を降ろすべきことが荷降情報画面に示されている。作業者２０は、この表示内容に従い、管理番号“１１１−２２２−９９９”の荷物をトラック５０から降ろしてＡＡＡ産業に引き渡す。この引き渡しの前または後に、作業者２０は、バーコードリーダーにて、当該荷物に貼付されたバーコードを読み込む。このとき、例えば読み込んだバーコードが“１１１−２２２−９９９”であれば、荷降情報画面に実行ボタンが表示される。作業者２０は、実行ボタンにタッチすることで、作業端末１００において、管理番号“１１１−２２２−９９９”の荷物についての配送完了処理が行われる。これにより、例えば、図１１に示すように、配送先情報画面において、ＡＡＡ産業の“状況”フィールドが、“未配送”から“配送完了”に変更される。
【００５３】
なお、例えば図１０に示す荷降情報画面を表示させたときに、取得部１４０が取得し、荷降情報画面に表示された現在位置が、ＡＡＡ産業の住所から所定の距離以上離れている場合を想定する。この場合、作業端末１００は、荷降情報画面に、現在位置が適正な配送先とは異なることを示す警告情報を表示してもよく、当該警告情報を音声で出力してもよい。また、荷物の配送が予定されている配送先からの指示により、その配送先の住所とは異なる場所に荷物を配送する場合もあるため、警告情報が表示または音声出力された場合であっても、上記の配送完了処理が行われてもよい。この場合であっても、配送完了処理が行われた場所を示す位置情報が、履歴情報２２０に記録され、かつ、管理システム４００に送信されるため、この配送が適切であるか否かの判断または検証は可能である。
【００５４】
また、ＡＡＡ産業に複数の荷物を配送すべき場合は、複数の荷物の配送が完了となるまで、荷物ごとの荷降情報画面が繰り返し表示されてもよく、１つの荷降情報画面に、複数の荷物の情報が表示されてもよい。つまり、配送完了処理は、荷物ごとに行われてもよく、配送先ごとの複数の荷物について一括して行われてもよい。
【００５５】
以上のような処理が、荷物の配送が完了した配送先ごとに行われることで、作業端末１００を用いて行うべき配送作業、つまり、配送作業情報２００に示される配送作業が完了する。
【００５６】
［１−４．履歴情報のデータ構成例］
作業端末１００による上記の各処理及び作業端末１００の移動の状況は、記憶部１５０に、履歴情報２２０として記憶される。図１２は、実施の形態に係る履歴情報２２０のデータ構成の一例を示す図である。履歴情報２２０は、例えば図１２に示すように、データ項目として、レコードＩＤ（Ｒ＿ＩＤ）、種別、作業者ＩＤ、位置、時刻、管理番号を含む。つまり、作業端末１００は、上記の積み込みの際のバーコードの読み込み等のイベントが発生した場合、当該イベント発生時にログインしている作業者ＩＤ、当該イベントに対応する作業の種別、当該イベントが発生した位置、当該イベントが発生した時刻、及び、当該イベントに対応する荷物の管理番号を紐づけて記憶する。また、作業端末１００は、定期的（例えば５分ごと）に、その時点の位置を示す位置情報を、その時点でログインしている作業者ＩＤ、その時点の作業の種別、及びその時点時刻と対応付けて記憶する。また、その時点で移動中である場合は、種別が“走行”として記憶される。なお、走行、及び停止の判断の手法としては、例えば３０秒間隔くらいで位置情報を作業端末１００から管理システム４００に通知し、前回と今回など複数回の位置情報を比べることで、走行中及び停止中を判断する手法が例示される。
【００５７】
このようにして記憶された履歴情報２２０は、例えば、定期的に作業端末１００から管理システム４００に送信される。なお、荷物の積み込み及び配送の完了等の重要な情報は、その作業の完了ごとに、管理システム４００に送信されてもよい。また、履歴情報２２０は、定期的または必要に応じたタイミングで送信されることに加え、すべての配送の完了時に、自動的に管理システム４００に送信されてもよい。また、管理システム４００に履歴情報２２０を送信する場合、その時点で送信済みではない部分のみを履歴情報２２０から抜き出して管理システム４００に送信してもよい。
【００５８】
なお、位置情報については、例えば、履歴情報２２０として記憶するタイミングで、また、所定の期間ごと等の、履歴情報２２０としての記憶とは非同期のタイミングで、管理システム４００に送信される。このとき、ログイン中の作業者ＩＤがあれば位置情報とともに送信し、ログイン中の作業者ＩＤがなければ、作業者ＩＤを伴わずに位置情報を送信する。従って、仮に、作業者２０が作業端末１００を置き忘れたまま移動した場合は、作業者ＩＤ“Ｐ０１３２”がログアウトされ、例えば、位置情報と種別“停止”とが管理システム４００に送信される。また、仮に、作業者２０が、発信機３００を持たない第三者に盗難された場合、例えば、位置情報と種別“走行”とが管理システム４００に送信される。このように、作業端末１００の位置情報が作業者ＩＤを伴わずに、管理システム４００に送信されることで、管理システム４００は、作業端末１００の置き忘れまたは盗難等を把握することができ、かつ、作業端末１００を追跡することができる。また、管理システム４００側では、上記の作業端末１００の置き忘れ等が把握された場合、例えば、置き忘れ等の事故または異常の発生を報知するための画面表示、音声出力、またはランプの点灯等を行うことができる。また、この場合、例えばその時点で作業端末１００を所持しているべき作業者２０の携帯端末、または／及び、その作業者２０が属する企業等の端末装置に、事故または異常の発生を通知してもよい。また、管理システム４００からの制御により、作業端末１００に、事故または異常の発生を報知するための音声出力等を行わせてもよい。
【００５９】
このように、本実施の形態では、どの作業者２０が、いつ、どこで、どのような作業をしたかを示す履歴情報が作業端末１００に記憶される。そのため、例えば、正確な作業日報を管理システム４００に報告することができる。また、例えば、作業端末１００を携帯する作業者２０が、地下またはトンネル内などの通信が途絶えやすい環境で作業した場合であっても、その作業の内容は記録されるため、良好な通信が可能な環境の下で、管理システム４００に送信することができる。
【００６０】
［１−５．作業者の交代時の処理］
配送作業情報２００に示される配送作業を実行する作業者が交代される場合、本実施の形態に係る作業端末１００は、自動的に、ログインを認証する作業者２０（作業者ＩＤ）を自動的に変更することができる。この作業者２０の交代時の処理について、図１３Ａ〜図１５を用いて説明する。
【００６１】
図１３Ａは、作業者２０の交代前における実施の形態に係る作業端末１００の状態を示す図であり、図１３Ｂは、作業者２０の交代後における実施の形態に係る作業端末１００の状態を示す図である。図１４は、作業者２０の交代後における実施の形態に係る配送先情報画面の一例を示す図である。図１５は、作業者２０の交代後における実施の形態に係る履歴情報２２０のデータ構成例を示す図である。
【００６２】
なお、図１３Ａ及び図１３Ｂに示される第一発信機３００ａ及び第二発信機３００ｂの一方は第一端末の一例であり、他方は第二端末の一例である。また、第一発信機３００ａ及び第二発信機３００ｂは、互いに異なる作業者ＩＤによって識別される発信機３００である。具体的には、第一発信機３００ａは、第一作業者ＩＤ“Ｐ０１３２”を含むＩＤ情報を送信し、第二発信機３００ｂは、第二作業者ＩＤ“Ｐ０２４５”を含むＩＤ情報を送信する。
【００６３】
例えば図１３Ａに示すように、作業者２０ａが第一発信機３００ａを携帯し、作業者２０ｂが第二発信機３００ｂを携帯する場合を想定する。また、作業者２０ａが作業端末１００を使用して配送作業を行っている場合を想定する。
【００６４】
この場合、作業端末１００は、第一作業者ＩＤ“Ｐ０１３２”のログインを認証した状態であり、例えば、表示部１６０に表示される作業者ＩＤフィールド１７０（図６参照）には、“Ｐ０１３２”が表示される。この状態で、作業者２０ｂが配送作業の担当を交代するために、作業者２０ａに近づいた場合、作業端末１００が、第二発信機３００ｂが送信するＩＤ情報を継続して受信することが考えられる。
【００６５】
この場合、作業端末１００は、第一発信機３００ａ及び第二発信機３００ｂのうちの所定の条件を満たす一方のみのログインを認証する。具体的には、第一発信機３００ａから送信されるＩＤ情報の受信強度、及び、第二発信機３００ｂから送信されるＩＤ情報の受信強度のうち、受信強度が大きい一方のみのログインを認証する。図１３Ａに示す状態では、第一発信機３００ａの方が、第二発信機３００ｂよりも作業端末１００に近いため、作業端末１００では、第一発信機３００ａから送信されるＩＤ情報の受信強度の方が、第二発信機３００ｂから送信されるＩＤ情報の受信強度よりも大きい。そのため、作業端末１００は、第一発信機３００ａから送信されるＩＤ情報に示される第一作業者ＩＤ“Ｐ０１３２”によるログインを認証し、第二発信機３００ｂから送信されるＩＤ情報に示される第二作業者ＩＤ“Ｐ０２４５”によるログインを認証しない。
【００６６】
その後、作業端末１００が、作業者２０ａから作業者２０ｂに渡された場合、例えば、作業端末１００における、第一発信機３００ａから送信されるＩＤ情報の受信が、Ｔ（例えば５秒）以上途切れる（図５のＳ３６でＹｅｓ）。これにより、第一作業者ＩＤ“Ｐ０１３２”がログアウトし、作業端末１００の実体的な操作は一旦不可となる（図５のＳ３２）。その後、作業端末１００は、第二発信機３００ｂから送信されるＩＤ情報の受信が継続することで（図５のＳ２２でＹｅｓ）、第二作業者ＩＤ“Ｐ０２４５”によるログインが認証され、その結果、作業者２０ｂは、作業端末１００の実体的な操作を行うことができる。
【００６７】
または、作業者２０ａから作業者２０ｂに渡された場合、例えば、作業端末１００は、第一発信機３００ａが送信するＩＤ情報及び第二発信機３００ｂが送信するＩＤ情報の両方を継続して受信する。しかし、図１３Ｂに示す状態では、第二発信機３００ｂの方が、第一発信機３００ａよりも作業端末１００に近い。そのため、作業端末１００は、上述のように２つのＩＤ情報の受信強度の大小関係に基づき、第二発信機３００ｂから送信されるＩＤ情報に示される第二作業者ＩＤ“Ｐ０２４５”によるログインを認証し、第一発信機３００ａから送信されるＩＤ情報に示される第一作業者ＩＤ“Ｐ０１３２”によるログインを認証しない。つまり、作業端末１００では、第一作業者ＩＤ“Ｐ０１３２”がログアウトするとともに、第二作業者ＩＤ“Ｐ０２４５”がログインする。その結果、作業者２０ｂは、作業端末１００の実体的な操作を行うことができる。
【００６８】
以上のように作業端末１００が作業者２０の交代処理（作業者ＩＤの変更処理）を行うことで、作業者２０ｂは、自身を識別する情報を作業端末１００に入力するなどの作業を行うことなく、引き続き、作業端末１００に示される配送作業を行うことができる。
【００６９】
例えば、作業者２０ｂは、作業端末１００を用いて、例えば図１４に示す配送先情報画面を参照することで、“ＥＥＥ自動車”への荷物の配送から開始すべきことがわかる。その後、作業者２０ｂは、表示部１６０に表示される配送ナビ画面（図９参照）に示される“ＥＥＥ自動車”への経路に従ってトラック５０を走行させ、荷降情報画面（図１０参照）に示される荷物をＥＥＥ自動車に引き渡す。
【００７０】
また、上記のように、作業者２０の交代が行われた場合、その交代が行われた時刻及び現在位置を交代後の作業者ＩＤと紐づけて履歴情報２２０に記録する。本例の場合、図１４に示すように、レコードＩＤ“００６２”の行に、種別“交代”及び第二作業者ＩＤ“Ｐ０２４５”に紐づけられて、交代が行われた（より詳細には、第二作業者ＩＤ“Ｐ０２４５”によるログインが認証された）時刻及び位置が記録されている。なお、作業者２０の交代が行われた場合、交代後の作業者ＩＤ等の情報は、履歴情報２２０に記録されるとともに、例えば管理システム４００に送信される。これにより、管理システム４００は、作業端末１００に割り当てた一連の配送作業の担当者が、作業者２０ａから作業者２０ｂに交代されたことをリアルタイムに把握することができる。
【００７１】
また、その後、第二作業者ＩＤ“Ｐ０２４５”がログインしている期間における処理情報が、“Ｐ０２４５”と紐づけられて履歴情報２２０に記録される。
【００７２】
なお、作業端末１００が、第一発信機３００ａ及び第二発信機３００ｂの一方のみのログインを認証する場合に用いられる所定の条件は、上述のＩＤ情報の受信強度を用いた条件に限定されない。例えば、作業端末１００が、トラック５０に備えられた車載発信機から送信されるトラックＩＤと、作業者ＩＤを含むＩＤ情報とを同一期間に受信した場合、当該作業者ＩＤによるログインが認証されてもよい。例えば、図１３Ｂにおいて、第二発信機３００ｂを携帯する作業者２０ｂが、作業端末１００を手にしただけでは、第二発信機３００ｂのログイン、つまり、作業者ＩＤ“Ｐ０２４５”によるログインは認証されない。しかし、その後に、作業者２０ｂが、トラック５０に乗った場合、第二発信機３００ｂからのＩＤ情報と、車載発信機からのトラックＩＤとが揃うことで、作業者ＩＤ“Ｐ０２４５”によるログインが認証される。その結果、作業者２０ｂは、作業端末１００の実体的な操作が可能となる。このように、複数種の信号の受信を所定の条件とすることで、作業者２０の交代時におけるログイン認証に関する処理が確実化または簡易化される。
【００７３】
なお、２つのＩＤ情報の受信強度の大小関係によって、第一発信機３００ａ及び第二発信機３００ｂのうちのログインを認証する一方を決定する場合、受信強度のブレを考慮し、瞬間的な受信強度ではなく、数秒間内で安定して受信強度が大きい一方方に決定してもよい。
【００７４】
また、発信機３００として採用する電波発信機として、例えば、電波の到達距離が、広い範囲内（例えば１ｍ〜１００ｍの間）で調整可能な電波発信機が採用されてもよい。この場合、例えば、電波の到達距離が1ｍ程度である微弱電波を発信するように調整することで、発信機３００として用いてもよい。
【００７５】
［２．効果等］
以上説明したように、本実施の形態に係る作業端末１００は、複数の発信機３００のそれぞれが送信するＩＤ情報に示される作業者ＩＤを、自動的に認識しログインさせることができる。また、作業端末１００は、ＩＤ情報の受信が途切れることで、当該作業者ＩＤを自動的にログアウトさせることができる。この処理は、上記２つの発信機３００（第一発信機３００ａ及び第二発信機３００ｂ）を用いて以下のように説明される。
【００７６】
本実施の形態に係る作業端末１００は、一連の作業内容を示す配送作業情報２００が記憶されており、かつ、受け付けた操作に応じた、配送作業情報２００に関する処理が可能な作業端末１００である。作業端末１００は、通信部１１０と、認証部１２０と、制御部１３０とを備える。通信部１１０は、第一発信機３００ａまたは第二発信機３００ｂと通信することで、第一発信機３００ａを識別する第一作業者ＩＤまたは、第二発信機３００ｂを識別する第二作業者ＩＤを含むＩＤ情報を取得する。認証部１２０は、通信部１１０が取得したＩＤ情報と、第一作業者ＩＤ及び第二作業者ＩＤを含むログイン許可情報２１０とに基づいて、作業端末１００へのログインの認証を行う。制御部１３０は、通信部１１０が、第一発信機３００ａまたは第二発信機３００ｂから連続的または断続的にＩＤ情報を取得することで、認証部１２０によりログインが認証されている場合、配送作業情報２００に関する処理のための操作を許可する。通信部１１０は、認証部１２０によりログインが認証されていない場合、配送作業情報２００に関する処理のための操作を許可しない。
【００７７】
この構成によれば、第一発信機３００ａまたは第二発信機３００ｂを携帯する作業者２０は、例えば作業端末１００を手に取った場合、作業端末１００と第一発信機３００ａまたは第二発信機３００ｂとの通信がある程度継続して行われることで、自動的に作業端末１００の操作が可能な状態となる。また、作業者２０は、例えば作業端末１００から離れた場合、当該通信が途絶することで、自動的に作業端末１００の操作が不可能な状態となり、不正な操作は防止される。従って、例えば、正規の権限を有する複数の作業者２０のそれぞれに第一発信機３００ａ等の正規の作業者ＩＤを有する発信機３００を携帯させておけば、複数の作業者２０の各々は、当該作業者２０を識別する情報を作業端末１００に入力することなく、作業端末１００に当該作業者２０を特定させることができる。つまり、作業端末１００は、操作する作業者２０を認識した状態で配送作業情報２００に関する処理を適切に行うことができる。そのため、例えば、複数の荷物を配送するための配送作業を、正規の権限を有する複数の作業者２０が交代しながら、効率よく実行することができる。具体的には、交代前の作業者２０による作業端末１００のログアウトのための操作、及び、交代後の作業者２０による作業端末１００へのログインのための操作は不要である。また、交代後の作業者２０が、配送作業に用いる情報を新たにダウロードする必要はない。さらに、発信機３００を持たない第三者による作業端末１００の実体的な操作は不可能であるため、仮に、第三者が作業端末１００を手にした場合であっても、作業端末１００に記憶された情報の流出は防止される。
【００７８】
このように、本実施の形態に係る作業端末１００は、配送作業を行う作業者が使用する作業端末であって、効率よく配送作業を行うことができる作業端末である。
【００７９】
また、本実施の形態に係る作業端末１００において、認証部１２０は、通信部１１０が第一発信機３００ａ及び第二発信機３００ｂの両方から連続的または断続的にＩＤ情報を取得する場合、第一発信機３００ａ及び第二発信機３００ｂのうちの所定の条件を満たす一方のみのログインを認証する。
【００８０】
この構成によれば、例えば、作業端末１００の周辺に、第一発信機３００ａを有する作業者２０ａ及び第二発信機３００ｂを有する作業者２０ｂの両方が存在する場合であっても、所定の条件に基づいて、第一発信機３００ａ及び第二発信機３００ｂ（第一作業者ＩＤ及び第二作業者ＩＤ）の一方のみが認証される。そのため、例えば、作業端末１００の操作を行う可能性がある作業者２０が複数存在する場合であっても、実際に操作を行う作業者２０は、パスワード等を入力することなく、当該作業者２０を自動的に作業端末１００に特定させることができる。
【００８１】
また、本実施の形態に係る作業端末１００は、配送作業情報２００に関する処理の内容または結果を示す処理情報を取得する取得部１４０と、履歴情報２２０を記憶する記憶部１５０を備える。履歴情報２２０は、取得部１４０が取得した処理情報と、認証部１２０によってログインが認証された作業者ＩＤ（本実施の形態では第一作業者ＩＤまたは第二作業者ＩＤ）とが紐づけられた情報である。
【００８２】
この構成によれば、作業端末１００は、例えば、配送作業を行っている期間における作業者２０の位置、または、各荷物の配送の完了時刻等を示す処理情報を、作業者２０を特定する作業者ＩＤと紐づけて履歴情報２２０として記憶することができる。つまり、どの作業を誰が行ったかを適切に記録することができる。また、履歴情報２２０は、記憶部１５０に記憶されているため、任意の時点で、作業端末１００から外部に送信することができる。
【００８３】
また、本実施の形態に係る作業端末１００において、通信部１１０は、認証部１２０がログインを認証している場合、作業端末１００の位置を示す位置情報と、ログインが認証された作業者ＩＤ（本実施の形態では第一作業者ＩＤまたは第二作業者ＩＤ）とを作業端末１００を管理する管理システム４００に送信する。通信部１１０は、認証部１２０がログインを認証していない場合、位置情報を管理システム４００に送信する。
【００８４】
この構成によれば、管理システム４００は、配送作業を行っている作業者２０と、作業者２０の位置とを認識することができるため、例えば、適切に配送作業がなされているかを把握することができる。また、管理システム４００が位置情報のみを受信した場合、正規の権限を有する作業者２０を伴わずに作業端末１００が放置されている、または、作業端末１００が移動していることを意味する。そのため、管理システム４００は、例えば作業端末１００の置き忘れまたは盗難等の発生を把握することができ、かつ、作業端末１００を追跡することができる。
【００８５】
本発明の実施の形態に係る作業端末１００の制御方法は、図５を用いて説明したように、取得ステップ（Ｓ１０）と、認証ステップ（Ｓ２０）と、操作可否決定ステップ（Ｓ３０）とを含む。取得ステップ（Ｓ１０）では、第一発信機３００ａまたは第二発信機３００ｂと通信することで、第一発信機３００ａを識別する第一作業者ＩＤまたは、第二発信機３００ｂを識別する第二作業者ＩＤを含むＩＤ情報を取得する。認証ステップ（Ｓ２０）では、通信部１１０が取得したＩＤ情報と、第一作業者ＩＤ及び第二作業者ＩＤを含むログイン許可情報２１０とに基づいて、作業端末１００へのログインの認証を行う。操作可否決定ステップ（Ｓ３０）では、通信部１１０が、第一発信機３００ａまたは第二発信機３００ｂから連続的または断続的にＩＤ情報を取得することで、認証部１２０によりログインが認証されている場合、配送作業情報２００に関する処理のための操作を許可する（Ｓ３１）。操作可否決定ステップ（Ｓ３０）では、認証部１２０によりログインが認証されていない場合、配送作業情報２００に関する処理のための操作を許可しない（Ｓ３２）。
【００８６】
この制御方法によれば、上述のように、正規の権限を有する作業者２０に対する、作業端末１００の操作可能化及び不可能化を自動的に行うことができる。従って、複数の作業者２０の各々は、当該作業者２０を識別する情報を作業端末１００に入力することなく、作業端末１００に当該作業者２０を特定させることができる。つまり、作業端末１００は、操作する作業者２０を認識した状態で配送作業情報２００に関する処理を適切に行うことができる。そのため、例えば、複数の荷物を配送するための配送作業を、正規の権限を有する複数の作業者２０が交代しながら、効率よく実行することができる。
【００８７】
（他の実施の形態）
以上、本発明の作業端末について、実施の形態に基づいて説明した。しかしながら、本発明は、上記実施の形態に限定されるものではない。本発明の趣旨を逸脱しない限り、当業者が思いつく各種変形を上記実施の形態に施したものも、あるいは、上記説明された複数の構成要素を組み合わせて構築される形態も、本発明の範囲内に含まれる。
【００８８】
例えば、作業端末１００が有する配送作業情報２００、ログイン許可情報２１０、及び、履歴情報２２０のそれぞれに含まれるデータ構成及びデータ項目は、図３、図４、及び図１２に示されるデータ構成及びデータ項目には限定されない。例えば、配送作業情報２００において、荷物ごとではなく配送先ごとに管理番号が付されてもよく、この場合、各荷物を識別する荷物識別子が配送作業情報２００に含まれてもよい。また、履歴情報２２０に含まれる位置情報の形式に特に限定はない。例えば、位置情報は、緯度及び経度を示す数値ではなく、緯度及び経度から求められた住所を示す文字であってもよい。
【００８９】
また、図１及び図６〜図１１を用いて説明した、作業者２０による配送作業の流れは一例であり、作業端末１００を用いた配送作業の流れは、上記説明された流れには限定されない。例えば、荷物のトラック５０への積み込みの際に、バーコードリーダーを用いて、各荷物のバーコードを読み込むことは必須ではない。例えば、作業者２０は、倉庫８０で複数の荷物をトラック５０に積み込む際に、作業端末１００を用いて、管理システム４００または倉庫８０を管理するサーバ装置と通信することで、一括して、トラック５０に積み込むまたは積み込んだ複数の荷物の管理番号等を取得してもよい。
【００９０】
また、例えば、図１０に示す荷降情報画面に含まれる実行ボタンを作業者２０がタッチすることで、荷降情報画面に表示される荷物についての配送完了処理がなされるとしたが、配送完了処理の手順はこれに限定されない。例えば、配送先の責任者が作業端末１００に対して荷物の受領を示す操作を行うことで、当該荷物についての配送完了処理がなされてもよい。
【００９１】
また、配送作業に、トラック５０等の自動車を用いることは必須ではない。例えば、自転車等の人力で走行する車が配送者として用いられてもよい。さらに、作業者２０は、台車等を用いて、または用いずに、徒歩で配送作業を行ってもよい。この場合であっても、作業者２０が作業端末１００を携帯して配送作業を行うことで、例えば図６〜図１１に示した各種の画面を用いながら、効率よく配送作業を進めることができる。
【００９２】
また、作業端末１００の表示部１６０に表示されるユーザインタフェース画面として、図６〜図１１に各種の画面を例示した。しかし、表示部１６０に表示されるユーザインタフェース画面として、他の情報を表示する、または他の情報の入力を受け付ける画面が表示されてもよい。例えば、複数の荷物それぞれのサイズ及び重量等の詳細情報を表示する画面、配送先の担当者名及び連絡先などの詳細情報を表示する画面、及び、作業者２０が配送順を変更するための画面等が表示部１６０に表示されてもよい。
【００９３】
また、制御部１３０が許可及び不許可を決定する対象である、配送作業情報２００に関する処理のための操作は、作業端末１００に対する各種の操作の全てでもよく一部でもよい。例えば、作業端末１００が専用のコンピュータ機器によって実現される場合、制御部１３０は、作業端末１００の全ての操作を不可能としてもよい。また、作業端末１００が汎用の携帯端末によって実現される場合、制御部１３０は、配送作業用のアプリケーションプログラム（以下、「アプリ」という。）の起動または操作を不可能にし、かつ、その他のアプリの起動及び操作を可能なままにしてもよい。これにより、例えば、作業者２０が個人所有するスマートフォン等の携帯端末に、配送作業用のアプリをインストールすることで、当該携帯端末を作業端末１００として使用することができる。つまり、作業者２０は、発信機３００を携帯して配送作業を行う期間は、自身の携帯端末を、配送作業用のアプリを実行することができる作業端末１００として使用することができる。また、作業者２０は、発信機３００を携帯しないプライベートな期間は、その携帯端末を、配送作業用のアプリが無効化された個人用の携帯端末として使用することができる。
【産業上の利用可能性】
【００９４】
本発明に係る作業端末は、配送作業を行う作業者が使用する作業端末であって、効率よく配送作業を行うことができる作業端末である。そのため、本発明に係る作業端末は、複数の荷物を配送する配送システムにおいて、各作業者が携帯して使用する作業端末等として有用である。
【符号の説明】
【００９５】
１０  配送システム
２０、２０ａ、２０ｂ  作業者
５０  トラック
８０  倉庫
１００  作業端末
１１０  通信部
１２０  認証部
１３０  制御部
１４０  取得部
１５０  記憶部
１６０  表示部
１７０  作業者ＩＤフィールド
１７１ａ  積込情報ボタン
１７１ｂ  配送先情報ボタン
１７１ｃ  配送ナビボタン
１７１ｄ  荷降情報ボタン
１７２  荷物リスト
１７３  配送先リスト
１７４  配送先マップ
１７５  配送詳細情報
２００  配送作業情報
２１０  ログイン許可情報
２２０  履歴情報
３００  発信機
３００ａ  第一発信機
３００ｂ  第二発信機
４００  管理システム
【図１】
2020042522.tif 000003
【図２】
2020042522.tif 000004
【図３】
2020042522.tif 000005
【図４】
2020042522.tif 000006
【図５】
2020042522.tif 000007
【図６】
2020042522.tif 000008
【図７】
2020042522.tif 000009
【図８】
2020042522.tif 000010
【図９】
2020042522.tif 000011
【図１０】
2020042522.tif 000012
【図１１】
2020042522.tif 000013
【図１２】
2020042522.tif 000014
【図１３Ａ】
2020042522.tif 000015
【図１３Ｂ】
2020042522.tif 000016
【図１４】
2020042522.tif 000017
【図１５】
2020042522.tif 000018